(57)【要約】【課題】  閃光装置のポップアップ角度を小さくすると共に反射鏡の形状を工夫することにより、閃光装置の小型化と、部品点数の削減を通じて、撮像装置の小型化、薄型化を図ることができるようにする。【解決手段】  レンズ装置２３が取り付けられた外装ケースと、レンズ装置２３の対物レンズの近傍において回動アームを介してポップアップ位置と格納位置とに移動可能に支持されている閃光装置３３と、閃光装置３３をポップアップさせてポップアップ位置に付勢するポップアップバネと、閃光装置３３を格納位置に保持する保持手段と、を備えた撮像装置に関する。閃光装置３３のポップアップ角度を２０度以下に設定し、ポップアップ位置において発光部が被写体に対して正面を向くようにした。【選択図】      図６
2004318083.tif 000002
【特許請求の範囲】
【請求項１】
レンズ装置が取り付けられた外装ケースと、
前記レンズ装置の対物レンズの近傍において回動アームを介してポップアップ位置と格納位置とに移動可能に支持されている閃光装置と、
前記閃光装置をポップアップさせて前記ポップアップ位置に付勢するバネ手段と、
前記閃光装置を前記格納位置に保持する保持手段と、を備えた撮像装置において、
前記閃光装置のポップアップ角度を２０度以下に設定し、ポップアップ位置において発光部が被写体に対して正面を向くようにしたことを特徴とする撮像装置。
【請求項２】
前記閃光装置は、前記保持手段の上方であって、前記対物レンズの近傍に隣接させて配置したことを特徴とする請求項１記載の撮像装置。
【請求項３】
前記閃光装置は、光源が装着される反射鏡を備え、
前記反射鏡は、円筒曲面の一部からなる互いに対向された一対の第１の反射面と、前記一対の第１の反射面に連続されると共に内部に光源が収納される第２の反射面と、を有し、前記一対の第１の反射面と前記第２の反射面とが連続する連続部を、収納された前記光源の中心部よりも一対の第１の反射面の開口部側に設定したことを特徴とする請求項１記載の撮像装置。
【請求項４】
前記第２の反射面は、前記光源の中心部を曲率半径の中心とすることにより得られる円筒状の円筒面部と、前記円筒面部の一部に設けられると共に前記一対の第１の反射面を対称にする中心面と略平行に展開された一対の平行平面部と、前記円筒面部の一部に設けられると共に前記連続部と前記中心部を結ぶ線の延長線と前記円筒面部とが交差する第１の交差部から接線方向に延在され且つ前記平行平面部と交差する第２の交差部まで展開された一対の傾斜平面部と、からなることを特徴とする請求項３記載の撮像装置。
【請求項５】
前記一対の第１の反射面と前記第２の反射面とを連続する一対の連続部間の長さを、前記第２の反射面の一部をなす円筒面部の直径よりも小さくしたことを特徴とする請求項３記載の撮像装置。
【請求項６】
前記第２の反射面は、前記光源の位置を前記中心面に沿って移動調整可能として楕円形に形成したことを特徴とする請求項３記載の撮像装置。
【請求項７】
前記第２の反射面は、前記光源の中心部を曲率半径の中心とすることにより得られる曲面部と、前記中心部を通り且つ前記中心面と垂直に交差する垂直面に対して前記曲率半径が交差する垂直交差部から中心面と略平行に展開された一対の平行平面部と、前記曲面部の一側に連続されると共に前記連続部と前記中心部を結ぶ線の延長線と曲面部とが交差する第１の交差部から接線方向に延在され且つ前記平行平面部と交差する第２の交差部まで展開された一対の傾斜平面部と、からなることを特徴とする請求項３記載の撮像装置。
【請求項８】
前記第２の反射面は、前記光源の中心部を曲率半径の中心とすることにより得られる楕円状の円筒面部と、前記円筒面部の一部に設けられると共に前記一対の第１の反射面を対称にする中心面と略平行に展開された一対の平行平面部と、前記円筒面部の一部に設けられると共に前記連続部と前記中心部を結ぶ線の延長線と前記円筒面部とが交差する第１の交差部から接線方向に延在され且つ前記平行平面部と交差する第２の交差部まで展開された一対の傾斜平面部と、からなることを特徴とする請求項３記載の撮像装置。
【請求項９】
前記第２の反射面は、前記光源の中心部を曲率半径の中心とすることにより得られる第１の曲面部と、前記連続部を通り且つ曲率半径の中心を前記光源の中心部から連続部に対して近づく側又は遠ざかる側へ偏倚することにより得られる第２の曲面部と、前記第１の曲面部の両側に連続されると共に前記連続部と前記中心部を結ぶ線の延長線と前記第１の曲面部とが交差する第１の交差部から接線方向に延在され且つ前記中心部を通って前記中心面と垂直に交差する垂直面と交差する前記第２の曲面部まで展開された一対の傾斜部と、からなることを特徴とする請求項３記載の撮像装置。
【請求項１０】
前記第２の曲面部の曲率半径の中心部は、前記連続部と前記中心部を結ぶ線の延長線と第１の曲面部とが交差する第１の交差部から前記中心面に垂直に降ろした交点又はその近傍の交点としたことを特徴とする請求項９記載の撮像装置。
【請求項１１】
前記閃光装置の下面に、前記ポップアップ位置に移動したときに前記格納位置を覆い隠す目隠し板を設けたことを特徴とする請求項１記載の撮像装置。
【請求項１２】
前記目隠し板は、同一軸心線上において互いに反対側に突出する一対の軸部を有し、前記一対の軸部を前記閃光装置の下部に両端支持し、所定の角度範囲内において自重により回動可能としたことを特徴とする請求項１１記載の撮像装置。
【請求項１３】
前記目隠し板の下方に、前記閃光装置をポップアップ動作させるためのプランジャー機構を配置したことを特徴とする請求項１１記載の撮像装置。
【発明の詳細な説明】
【技術分野】
【０００１】
本発明は、ポップアップ位置と格納位置とに選択的に移動可能とされた閃光装置を備えた撮像装置に関し、特に、閃光装置のポップアップ角度を小さくすると共に反射鏡の形状を工夫して装置全体の小型化、薄型化と、部品点数の削減を図ることができる撮像装置に関するものである。
【背景技術】
【０００２】
従来の、この種の撮像装置としては、例えば、本願特許出願人が先に特許出願したもので、特許文献１に記載されているようなものがある。この特許文献１には、閃光装置のポップアップ機構及びこれを備えたカメラ装置に関するものが記載されている。この閃光装置のポップアップ機構は、ポップアップ位置と格納位置とを移動可能に支承されている閃光装置と、この閃光装置をポップアップ位置へ付勢するばね手段と、閃光装置を格納位置に保持させる係止手段を有する作動部材と、この作動部材とリンクされ、通電時に磁気吸引力が解除されるプランジャーとから構成されている。
【０００３】
そして、閃光装置の格納状態では、ばね手段のばね力に抗してプランジャーに発生する磁気力により作動部材を牽引し、係止手段で閃光装置を格納位置に保持する動作が行われる。また、プランジャーへ通電して磁気吸引力を解除することでばね手段のばね力により係止手段を後退させて閃光装置をポップアップ位置に跳ね上げる、ことを特徴としている。
【０００４】
この閃光装置のポップアップ機構によれば、小さなスペースでポップアップ機構を構成することができ、また、部品点数を大幅に削減することができることから小型軽量化が可能となり、安価に製作することができる、という効果が期待される。
【０００５】
更に、従来の他の撮像装置としては、例えば、特許文献２に記載されているようなものもある。この特許文献２には、フラッシュ装置を一体化した一眼レフレックスカメラに関するものが記載されている。この一眼レフレックスカメラは、ファインダ光学系用ペンタプリズムの上方の近傍に起上機構を介して発光手段を装備し、その発光手段が起上機構により、突出位置と収納位置の２つの位置を占める、ことを特徴としている。
【０００６】
このような構成を有する一眼レフレックスカメラによれば、ペンタプリズムの上部に発光管を一体化しているので、従来のコンパクトカメラの場合と同様の手軽さでフラッシュ撮影及び日中シンクロ撮影等を行うことができる、等の効果が期待される。
【０００７】
また、本願発明の撮像装置に関連する本願特許出願人の先行技術として、特許文献３に記載されているようなものがある。この特許文献３には、光源から放射された直接光及び反射面で反射された反射光をまとめて被写体に照射させる電子閃光装置に用いられる反射鏡及びその反射鏡を用いた電子閃光装置に関するものが記載されている。この電子閃光装置用反射鏡は、円筒曲面の一部からなる互いに対向された一対の第１の反射面と、この一対の第１の反射面に連続されると共に内部に光源が収納される第２の反射面と、を備え、一対の第１の反射面と第２の反射面とが連続する連続部を、収納された光源の中心部よりも一対の第１の反射面の開口部側に設定した、ことを特徴としている。
【０００８】
このような構成を有する電子閃光装置用反射鏡によれば、反射光の全部又は大部分を所定の配光角によって開口部から前方に放射させることができ、所定の光学性能を維持しつつ電子閃光装置の薄型化、小型化を図ることができる、という効果を得ることができる。
【特許文献１】特開２００２−２５０９６２号公報（第４頁、図４）
【特許文献２】特開昭６２−１２１４２８号公報（第３頁、第２Ａ図，第２Ｂ図）
【特許文献３】特願２００３−１５１１９０号
【０００９】
しかしながら、上述した先行技術に係る特許文献１の閃光装置のポップアップ機構及び特許文献２の一眼レフレックスカメラのいずれにおいても、ポップアップ角度が３５度と大きいことから、閃光装置がポップアップ位置に飛び出した状態の突起物衝撃試験等において、十分な強度を確保するためには構造物となる板金の板厚を厚くしたり、変形し難い構造にしなければならないという課題があった。更に、特許文献１の閃光装置のポップアップ機構の場合には、ポップアップロック用のプランジャーがポップアップ軸の後ろ側に配置されているため、閃光装置としては大きなものとなり、セットに組み込むとカメラ装置が必然的に大きくなってしまうという課題もあった。
【００１０】
これらの課題を、更に詳しく説明する。図１６は、特許文献１に記載された図２を示すもので、閃光装置がポップアップ位置に跳ね上げられた状態のカメラ一体型ＶＴＲ（ビデオテープレコーダ）１００の概観斜視図である。また、図１７は、同じく特許文献１に記載された図４を示すもので、閃光装置がカメラ一体型ＶＴＲ１００からポップアップされた動作状態の断面図である。
【００１１】
図１６において、符号１０１は、カメラ一体型ＶＴＲ１００の外装ケース、１０２はレンズ装置、１０３はマイクロホン装置、１０４はビューファインダである。また、符号１０５は液晶ディスプレイ、１０６は静止画撮影用のフォトボタン、１０７は、ビデオモードと電源オフとカメラモードとメモリモードとを選択的に切り換えるモード切換レバー、１０８は閃光装置である。
【００１２】
閃光装置１０８は、外装ケース１０１の上部前面側に配置されており、ポップアップ機構１１０によって格納位置とポップアップ位置とを選択的に取ることができるようになっている。すなわち、閃光装置１０８は、静止画撮影時の被写体光量が確保されているときには、外装ケース１０１のストロボ格納部１０９内に格納され、その格納位置において非使用状態となっている。一方、静止画撮影時の被写体光量が不足しているときには、閃光装置１０８がストロボ格納部１０９内から跳ね上げられ、上方のポップアップ位置に移動して使用可能な状態となっている。
【００１３】
この閃光装置１０８のポップアップ機構１１０は、図１７に示すような構成となっている。すなわち、ポップアップ機構１１０は、外装ケース１０１に固定されるベースフレーム１１１と、このベースフレーム１１１に水平方向へ回動自在に支持された作動部材１１２と、ベースフレーム１１１に取り付けられたプランジャー機構１１３と、ベースフレーム１１１に上下方向へ回動自在に支持された可動フレーム１１４と、この可動フレーム１１４を上方へ付勢するコイルばね１１５等を備えて構成されている。
【００１４】
ベースフレーム１１１は、互いに対向された一対の軸受片１１７を有しており、この一対の軸受片１１７に支持軸１１８が両端支持されている。支持軸１１８には、可動フレーム１１４が上下方向へ回動自在に支持されていると共に、コイルばね１１５が装着されている。コイルばね１１５の一方のバネ片１１５ａは一方の軸受片１１７に係止され、他方のバネ片１１５ｂは可動フレーム１１４に係止されていて、コイルばね１１５のバネ力によって可動フレーム１１４が、常に上方へ付勢されている。このコイルばね１１５のバネ力に抗して可動フレーム１１４の自由端側を下方へ押圧することにより、可動フレーム１１４が斜め上方に上向いた状態から水平に向いた状態まで回動可能とされている。
【００１５】
可動フレーム１１４の回動は作動部材１１１によって制御され、作動部材の回動はプランジャー機構１１３によって制御されるように構成されている。プランジャー機構１１３は、ベースフレーム１１１に固定された取付部１２０と、この取付部１２０に支持された一対のマグネットと、各マグネットに装着され且つ外周にコイル１２１が巻回された一対のボビン１２２と、このボビンの開口側から挿入された二股状の鉄片からなるプランジャー可動部１２３等を備えて構成されている。そして、プランジャー可動部１２３である鉄片の先端部がマグネットによって磁気吸着されている。
【００１６】
このように構成されたプランジャー機構１１３は、コイル１２１が無通電状態であるときには、マグネットに発生する磁気吸引力によって鉄片が吸着され、これにより作動部材１１１を牽引する作用が得られる。これに対して、コイル１２１が通電状態にされると、コイルに発生する電磁力によってマグネットの磁気力が消滅し、これにより作動部材１１１が鉄片を牽引する力が解除されるようになっている。また、作動部材１１１は、直角に立ち上げられたフック片１１１ａと、プランジャー可動部１２３に係合される突起１１１ｂとを有している。
【００１７】
閃光装置１０８は、可動フレーム１１４の自由端側に固定されている。閃光装置１０８は、上カバー１３０及び下カバー１３１と、ストロボフレーム１３２と、発光管１３３が装着されたリフレクタ１３４及び拡散レンズ１３５と、トリガコイル１３６等から構成されている。上カバー１３０と下カバー１３１とを重ね合わせることによってストロボハウジングが構成されている。このストロボハウジング内に、奥から順にトリガコイル１３６、ストロボフレーム１３２及びリフレクタ１３４が配置され、リフレクタ１３４の開口側に蓋をするよう最も外側に拡散レンズ１３５が配置されている。
【００１８】
このような構成を有する閃光装置１０８がポップアップ機構１１０によって昇降動作され、その昇降角度が略３５度と大きいことから、次のような問題点が生じていた。すなわち、図１６から明らかなように、ポップアップ時には閃光装置１０８が外装ケース１０１の上方に大きく突出することから、ストロボ格納部１０９の内部が丸見えの状態になっていた。
【００１９】
そこで、内部構造が見えないようにするために、この先行技術においてはストロボ格納部１０９の底となる部分を外装ケース１０１に設け、外装ケース１０１自体でカバーして内部構造が見えないように構成していた。その結果、ストロボ格納部１０９の底となる部分の肉厚がカメラ一体型ＶＴＲ１００の高さに加えられるばかりでなく、その底となる部分の上下にできる空間部分もカメラ一体型ＶＴＲ１００の高さに加えられることから、それらが合計されたものが装置全体の高さとなり、カメラ一体型ＶＴＲ１００が大型化されるという課題があった。
【発明の開示】
【発明が解決しようとする課題】
【００２０】
解決しようとする問題点は、従来の撮像装置のポップアップ機構では、ポップアップ角度が大きく、閃光装置がポップアップ位置に移動すると、ストロボ格納部が大きく開放され、外装ケースの内部が覗き見れる状態になる。そのため、外装ケースの内部を隠そうとすると、外装ケース自体或いは他の部材でストロボ格納部の底を覆う必要が生じることから、外装ケースが大型化されることになり、この種の撮像装置における小型化、薄型化を図ることができないことにある。
【課題を解決するための手段】
【００２１】
本出願の請求項１記載の撮像装置は、レンズ装置が取り付けられた外装ケースと、レンズ装置の対物レンズの近傍において回動アームを介してポップアップ位置と格納位置とに移動可能に支持されている閃光装置と、閃光装置をポップアップさせてポップアップ位置に付勢するバネ手段と、閃光装置を格納位置に保持する保持手段と、を備えた撮像装置において、閃光装置のポップアップ角度を２０度以下に設定し、ポップアップ位置において発光部が被写体に対して正面を向くようにしたことを特徴としている。
【００２２】
本出願の請求項２記載の撮像装置は、閃光装置は、保持手段の上方であって、対物レンズの近傍に隣接させて配置したことを特徴としている。
【００２３】
本出願の請求項３記載の撮像装置は、閃光装置は、光源が装着される反射鏡を備え、反射鏡は、円筒曲面の一部からなる互いに対向された一対の第１の反射面と、一対の第１の反射面に連続されると共に内部に光源が収納される第２の反射面と、を有し、一対の第１の反射面と第２の反射面とが連続する連続部を、収納された光源の中心部よりも一対の第１の反射面の開口部側に設定したことを特徴としている。
【００２４】
本出願の請求項４記載の撮像装置は、第２の反射面は、光源の中心部を曲率半径の中心とすることにより得られる円筒状の円筒面部と、円筒面部の一部に設けられると共に一対の第１の反射面を対称にする中心面と略平行に展開された一対の平行平面部と、円筒面部の一部に設けられると共に連続部と中心部を結ぶ線の延長線と円筒面部とが交差する第１の交差部から接線方向に延在され且つ平行平面部と交差する第２の交差部まで展開された一対の傾斜平面部と、からなることを特徴としている。
【００２５】
本出願の請求項５記載の撮像装置は、一対の第１の反射面と第２の反射面とを連続する一対の連続部間の長さを、第２の反射面の一部をなす円筒面部の直径よりも小さくしたことを特徴としている。
【００２６】
本出願の請求項６記載の撮像装置は、第２の反射面は、光源の位置を中心面に沿って移動調整可能として楕円形に形成したことを特徴としている。
【００２７】
本出願の請求項７記載の撮像装置は、第２の反射面は、光源の中心部を曲率半径の中心とすることにより得られる曲面部と、中心部を通り且つ中心面と垂直に交差する垂直面に対して曲率半径が交差する垂直交差部から中心面と略平行に展開された一対の平行平面部と、曲面部の一側に連続されると共に連続部と中心部を結ぶ線の延長線と曲面部とが交差する第１の交差部から接線方向に延在され且つ平行平面部と交差する第２の交差部まで展開された一対の傾斜平面部と、からなることを特徴としている。
【００２８】
本出願の請求項８記載の撮像装置は、第２の反射面は、光源の中心部を曲率半径の中心とすることにより得られる楕円状の円筒面部と、円筒面部の一部に設けられると共に一対の第１の反射面を対称にする中心面と略平行に展開された一対の平行平面部と、円筒面部の一部に設けられると共に連続部と中心部を結ぶ線の延長線と円筒面部とが交差する第１の交差部から接線方向に延在され且つ平行平面部と交差する第２の交差部まで展開された一対の傾斜平面部と、からなることを特徴としている。
【００２９】
本出願の請求項９記載の撮像装置は、第２の反射面は、光源の中心部を曲率半径の中心とすることにより得られる第１の曲面部と、連続部を通り且つ曲率半径の中心を光源の中心部から連続部に対して近づく側又は遠ざかる側へ偏倚することにより得られる第２の曲面部と、第１の曲面部の両側に連続されると共に連続部と中心部を結ぶ線の延長線と第１の曲面部とが交差する第１の交差部から接線方向に延在され且つ中心部を通って中心面と垂直に交差する垂直面と交差する第２の曲面部まで展開された一対の傾斜部と、からなることを特徴としている。
【００３０】
本出願の請求項１０記載の撮像装置は、第２の曲面部の曲率半径の中心部は、連続部と中心部を結ぶ線の延長線と第１の曲面部とが交差する第１の交差部から中心面に垂直に降ろした交点又はその近傍の交点としたことを特徴としている。
【００３１】
本出願の請求項１１記載の撮像装置は、閃光装置の下面に、ポップアップ位置に移動したときに格納位置を覆い隠す目隠し板を設けたことを特徴としている。
【００３２】
本出願の請求項１２記載の撮像装置は、目隠し板は、同一軸心線上において互いに反対側に突出する一対の軸部を有し、一対の軸部を閃光装置の下部に両端支持し、所定の角度範囲内において自重により回動可能としたことを特徴としている。
【００３３】
また、本出願の請求項１３記載の撮像装置は、目隠し板の下方に、閃光装置をポップアップ動作させるためのプランジャー機構を配置したことを特徴としている。
【００３４】
本出願の請求項１記載の撮像装置によれば、閃光装置のポップアップ角度を２０度以下と小さくしたため、各構成部品のポップアップ位置における機械的強度を必要最小限にとどめることができ、板金の板厚を厚くすることなく、部品点数の削減と、構造の簡素化を図ることができる。しかも、ポップアップ位置においては、閃光装置の発光部が被写体に対して正面を向くように正対されるため、ケラレを生ずることが無く、光を効率よく被写体に照射することができる。
【００３５】
本出願の請求項２記載の撮像装置によれば、保持手段を従来よりも前に設定できるため、閃光装置のポップアップ角度を小さくして、装置全体の小型化、薄型化を図ることができる。
【００３６】
本出願の請求項３記載の撮像装置によれば、一対の第１の反射面と第２の反射面との連続部を、第２の反射面に収納された光源の中心部よりも一対の第１の反射面の開口部側に設定することにより、反射光の全部又は大部分を所定の配光角によって開口部から前方に放射させることができ、所定の光学性能を維持しつつ撮像装置の薄型化、小型化を図ることができる。
【００３７】
本出願の請求項４記載の撮像装置によれば、第２の反射面を、円筒面部と一対の平行平面部と一対の傾斜平面部とで構成することにより、第２の反射面を利用して、光源から出た光を１度、２度或いはそれ以上に反射させて開口部から前方へ効率よく放射させることができる。
【００３８】
本出願の請求項５記載の撮像装置によれば、一対の第１の反射面と第２の反射面を連続する一対の連続部間の長さを、第２の反射面の直径よりも小さくすることにより、第２の反射面で反射されて第１の反射面側に向かう光量を増加させ、開口部から前方へ放射される光量を増加させることができる。
【００３９】
本出願の請求項６記載の撮像装置によれば、第２の反射面を楕円形とすることにより、光源の位置を中心面に沿って前後方向へ移動調整可能として、光源から放射される光の配光角の調整を簡単且つ確実に行うことができる。
【００４０】
本出願の請求項７記載の撮像装置によれば、第２の反射面を、曲面部と一対の平行平面部と一対の傾斜平面部とで構成することにより、第２の反射面を利用して、光源から出た光を１度、２度或いはそれ以上に反射させて開口部から前方へ効率よく放射させることができる。
【００４１】
本出願の請求項８記載の撮像装置によれば、第２の反射面を、円筒面部と一対の平行平面部と一対の傾斜平面部とで構成することにより、第２の反射面を利用して、光源から出た光を１度、２度或いはそれ以上に反射させて開口部から前方へ効率よく放射させることができる。
【００４２】
本出願の請求項９記載の撮像装置によれば、第２の反射面を、第１の曲面部と第２の曲面部と一対の傾斜部とで構成することにより、第２の反射面を利用して、光源から出た光を１度、２度或いはそれ以上に反射させて開口部から前方へ効率よく放射させることができる。
【００４３】
本出願の請求項１０記載の撮像装置によれば、第２の曲面部の曲率半径の中心部を、第１の交差部から中心面に垂直に降ろした交点又はその近傍の交点とすることにより、光源から出た光を第２の反射面から第１の反射面側に効率よく反射させ、開口部から前方へ効率よく放射させることができる。
【００４４】
本出願の請求項１１記載の撮像装置によれば、閃光装置がポップアップ位置に移動すると、目隠し板によって格納位置が覆われるため、閃光装置のポップアップ位置において外装ケース内に収納されている内蔵物を見え難くすることができ、外観上の見映えを良くすることができる。
【００４５】
本出願の請求項１２記載の撮像装置によれば、目隠し板の構造を簡単なものにできると共に閃光装置の下部に簡単に取り付けることができる。
【００４６】
また、本出願の請求項１３記載の撮像装置によれば、閃光装置の下方に形成された空間部を利用してプランジャー機構を配置することができ、空間部の効率的な利用が可能であると共に、閃光装置の小型化を通じて撮像装置の小型化、薄型化に寄与することができる。
【発明を実施するための最良の形態】
【００４７】
ポップアップ角度を小さくすると共にリフレクタの形状、構造を工夫することにより、閃光装置を小型化すると共に部品点数の削減を図り、もって、撮像装置の小型化、薄型化を図ることができる撮像装置を、簡単な構成によって実現した。
【実施例１】
【００４８】
以下、本発明の実施の例を、添付図面を参照して説明する。図１〜図１５は、本発明の実施の例を示すものである。即ち、図１は本発明の撮像装置の一実施例を正面側から見た斜視図、図２は図１から閃光装置をポップアップさせた状態の斜視図、図３は背面側から見た斜視図、図４は閃光装置のポップアップ機構等を説明するための斜視図、図５は閃光装置を格納位置に収納した説明図、図６は閃光装置をポップアップ位置に跳ね上げた説明図、図７は閃光装置を拡大して示す斜視図、図８は閃光装置のポップアップ角度の説明図、図９はマイクロホン装置の分解斜視図、図１０はマイクロホン装置の断面図、図１１は閃光装置の斜視図、図１２は閃光装置の分解斜視図、図１３は閃光装置の反射鏡の断面図、図１４Ａ，Ｂ，Ｃ及び図１５Ａ，Ｂ，Ｃは反射鏡による光反射の状態を示す説明図である。
【００４９】
図１、図２及び図３に示すように、本発明の撮像装置の一実施例は、カメラ一体型ＶＴＲに適用したものである。このカメラ一体型ＶＴＲ２０は、略四角形の筐体からなる中空の外装ケース２１と、この外装ケース２１の一方の側面に着脱可能に装着されるバッテリー電源２２と、外装ケース２１の正面に配置される対物レンズ２４を有するレンズ装置（光学レンズ）２３と、ファインダやタッチ操作パネルの機能をも兼ねる液晶ディスプレイ２５等を備えて構成されている。
【００５０】
外装ケース２１は、対物レンズ２４及びフォーカスリング２６が露出された正面部２１ａと、正面から見て右側の側面を形成する右側面部２１ｂと、左側の側面を形成する左側面部２１ｃと、背面を形成する背面部２１ｄと、図に現れない底面部とから構成されている。レンズ装置２３は外装ケース２１の上部に配設されていて、その後方にファインダ２８が配置されている。ファインダ２８は背面部２１ｄに露出されており、その周縁を囲むようにアイカップ２９が取り付けられている。
【００５１】
外装ケース２１の右側面部２１ｂの下部には電源収納部が設けられており、この電源収納部にバッテリー電源２２が着脱可能に装着されている。この右側面部２１ｂの上部には液晶ディスプレイ２５が収納される凹部３０が設けられている。液晶ディスプレイ２５は、右側面部２１ｂに設けられたヒンジ手段３１によって正面側の側部が回動自在に支持されている。これにより、液晶ディスプレイ２５は、図１に示す閉じた状態と、図３に示す開いた状態を取ることが可能となっている。
【００５２】
外装ケース２１の上部には、右側面部２１ｂの上部と左側面部２１ｃの上部とで挟まれるように空間部が設けられており、この空間部内には、フォーカスリング２６に近い側から順に閃光装置３３とマイクロホン装置３４とアクセサリーシュー３５とが配設されている。アクセサリーシュー３５の一端は背面部２１ｄ側に開口されていて、外部のストロボ装置等のアクセサリーが着脱自在とされている。
【００５３】
閃光装置３３は、カメラ一体型ＶＴＲ２０の撮像操作に連動して連続的に或いは間欠的に発光して被写体を照らし出すもので、常時は外装ケース２１内に格納されていて、使用時にポップアップされて主に発光部が露出されるものである。この閃光装置３３は、図１１及び図１２に示すように、プロテクター３６と、光源としてのキセノン管３７と、反射鏡（リフレクター）３８と、ホルダ３９と、シールドゴム４０と、フレキシブルプリント配線板（以下「フレキ板」という。）４１を備えて構成されている。
【００５４】
反射鏡３８は、図１２に示すように、上下に対向された略円筒状をなす一対の上面部３８ａ及び下面部３８ｂと、左右に対向された一対の側面部３８ｃ，３８ｄと、これらの背面側に連続された光源収納部４３とから構成されている。上下面部３８ａ，３８ｂと左右側面部３８ｃ，３８ｄは、背面側を狭めることによって開口部４４側が広げられた略ラッパのような断面形状をなしており、その背面側を閉じるように光源収納部４３が一体に設けられている。
【００５５】
図１３に示すように、上下面部３８ａ，３８ｂ及び光源収納部４３は、中心面Ｌを基準として上下方向に対称となる形状とされている。この上下面部３８ａ，３８ｂの各内面が上下方向に対向された対をなす第１の反射面４５ａ，４５ｂを構成し、光源収納部４３の内面が第２の反射面４６を構成している。これら第１の反射面４５ａ，４５ｂ、第２の反射面４６及び左右側面部３８ｃ，３８ｄの内面である第３の反射面４７は、光を良く反射できるように、例えば、鏡面加工等を施すことによって形成されている。
【００５６】
更に、第１の反射面４５ａ，４５ｂは、それぞれ全体として略円筒状をなす円筒曲面の一部によって形成されている。この第１の反射面４５ａ，４５ｂの曲面の断面形状としては、例えば、円形、楕円形、放物線、二次曲線、三次曲線その他の曲線を適用することができる。また、左右の側面部３８ｃ，３８ｄは、適当な大きさの曲率半径を有する曲面であってもよく、また、適当な角度に傾斜された平面であってもよい。
【００５７】
光源収納部４３の両側面には、第２の反射面４６と同様の形状を有する穴４３ａが開口されている。この穴４３ａからキセノン管３７を出し入れすることにより、光源収納部４３の中央部に設けられ且つその内面が第２の反射面を構成する中央穴４８にキセノン管３７が着脱自在に装着される。中央穴４８の内径はキセノン管３７の外径と略同一に設定されており、ほとんどガタのない状態でキセノン管３７が中央穴に嵌り合うようにされている。これにより、光源であるキセノン管３７は、第２の反射面４６によって周囲が１８０度を超えて囲まれるように構成されている。そして、第１の反射面４５ａ，４５ｂと第２の反射面４６とが交わる部分の間に、第２の反射面４６を形成する曲率半径の２倍の長さよりも短い隙間を設定するクビレ部４９，４９がそれぞれ形成されている。
【００５８】
光源収納部４３の中央穴４８の内面である第２の反射面４６は、第１の反射面４５ａ，４５ｂとは異なって、その中心Ｏを曲率半径Ｒの中心とすることによって得られる円筒状の円筒面部の一部に平面部が設けられた非円筒状に形成されている。そのため、光源収納部４３にキセノン管３７を挿入するだけで位置決めを行うことができ、キセノン管３７の位置を反射面の所定位置に精度良く確実に配置することができる。
【００５９】
即ち、第２の反射面４６は、中央穴４８の中心Ｏを中心点とすると共にキセノン管３７の直径の１／２を曲率半径Ｒとすることによって得られる円弧が軸方向に連続された円筒状の円筒面部からなる上下一対の前側円筒面５０ａ，５０ｂ及び後側円筒面５１と、一対の前側円筒面５０ａ，５０ｂの後方に連続されると共に中心面Ｌと平行に延在された上下一対の平行平面５２ａ，５２ｂと、後側円筒面５１の前方に連続されると共に中心面Ｌに対して所定角度傾斜され且つ前端部が一対の平行平面５２ａ，５２ｂに連続される一対の傾斜平面５３ａ，５３ｂとから構成されている。
【００６０】
一対の平行平面５２ａ，５２ｂは、中央穴４８の中心Ｏを通り且つ中心面Ｌと直交する方向に展開される基準面（Ｘ軸と直交する方向であるＹ軸上の面）５４と円筒面部４６とが交差する点Ｃ１及びＣ２を一端として接線方向に延在され且つ一対の傾斜平面５３ａ，５３ｂと交差する点Ｅ１及びＥ２を他端とする平面である。この点Ｃ１及びＣ２は、基準面５４上の点であることが最も好ましいが、これに限定されるものではない。
【００６１】
即ち、平行平面５２ａ，５２ｂとは、厳密な意味で中心面Ｌと平行であることを意味するものではない。例えば、基準面５４から開口部４４側に変位した位置に点Ｃ１及びＣ２を設定しても良く、この場合の平行平面は、開口部４４側よりも背面側が広くなる。また、これとは逆に、基準面５４から背面側に変位した位置に点Ｃ１及びＣ２を設定しても良く、この場合の平行平面は、背面側よりも開口部４４側が広くなる。
【００６２】
一対の傾斜平面５３ａ，５３ｂは、一対の第１の反射面４５ａ，４５ｂと一対の前側円筒面５０ａ，５０ｂとが交差する点Ｂ１及びＢ２と中央穴４８の中心Ｏを結んだ線の延長線と後側円筒面５１とが交差する点Ｄ１及びＤ２を一端として接線方向に延在され且つ一対の傾斜平面５３ａ，５３ｂと交差する点Ｅ１及びＥ２を他端とする平面である。この点Ｅ１及びＥ２も点Ｃ１及びＣ２と同様に、図１３に示した位置に限定されるものではなく、点Ｃ１及びＣ２の位置に対応して前後方向へ適当に変位可能なものである。
【００６３】
このような構成を有する反射鏡３８の材質としては、例えば、ドイツ国、アノラッド社製の「ＭＩＲＯ（商標名）」を適用することができる。この「ＭＩＲＯ（商標名）」は、アルミニウムの基材表面に高純度アルミニウムの真空蒸着を施し、更に透明な酸化膜を蒸着して増反射処理を行ったものである。しかしながら、反射鏡３８の材質は、これに限定されるものではなく、光に対する全反射率の高いものであれば、各種の材料を用いることができるものである。
【００６４】
光源としてのキセノン管３７は、高圧キセノンガスが封入された円筒状のランプ３７ａと、このランプ３７ａの両端から突出された電極端子３７ｂ，３７ｂを有している。このキセノン管３７を反射鏡３８の中央穴４８に挿入すると、両端の電極端子３７ｂ，３７ｂ及びランプ３７ａの両端部が光源収納部４３の両側部から側方に突出される。
【００６５】
このキセノン管３７が装着された反射鏡３８は、その背面に配置されるホルダ３９に装着されている。ホルダ３９は、断面形状が略コ字状をなす樋状の部材からなり、背面部３９ａとその両端に連続された上面部３９ｂ及び下面部３９ｃとで囲まれた凹部５５内に反射鏡３８の光源収納部４３が挿入されて嵌合される。このホルダ３９の上面部３９ｂ及び下面部３９ｃには、プロテクター３６を係合保持するための係合爪５６ａと、プロテクター３６を所定深さに位置決めするための複数の位置決め突部５６ｂがそれぞれ設けられている。
【００６６】
ホルダ３９の材質としては、例えば、ＡＢＳ樹脂（アクリロニトリル・ブタジエン・スチレン樹脂）が好適であるが、これに限定されるものではなく、他のプラスチックは勿論のこと、プラスチック以外の金属等を用いることもできる。
【００６７】
このホルダ３９と反射鏡３８が、シールドゴム４０により締め付けられて一体的に固定されている。シールドゴム４０は、キセノン管３７の両端を支持する一対の支持部４０ａ，４０ａと、両支持部４０ａ，４０ａを連結する連結部４０ｂとからなり、弾性を有する材料によって一体に構成されている。一対の支持部４０ａ，４０ａには、キセノン管３７の各端部が挿入される支持穴４０ｃが設けられている。このシールドゴム４０の材質としては、例えば、シリコンゴムが好適であるが、他のゴム状弾性部材を用いることができることは勿論である。
【００６８】
シールドゴム４０の背面には、キセノン管３７に電力を供給する電源との間を電気的に接続するためのフレキ板４１が配設されている。フレキ板４１は、キセノン管３７の軸方向両端に突出された電極端子３７ｂ，３７ｂに接続される電極端子部４１ａ，４１ａと、反射鏡３８に接続されるアース端子部４１ｂを有している。これらの端子部４１ａ，４１ａ及び４１ｂを電極端子３７ｂ，３７ｂ及び反射鏡３８に接続することにより、電気的な接続が行われる。
【００６９】
この反射鏡３８の前部には、透明な材料で形成されたプロテクター３６が着脱自在に装着される。プロテクター３６は、反射鏡３８の光源収納部４３の中途部から前側を覆う一面にのみ開口された本体部３６ａと、光源収納部４３に収納されたキセノン管３７の電極端子３７ｂ，３７ｂの外側を覆うカバー部３６ｂ，３６ｂとからなり、正面にはフレネルレンズ部５７が設けられている。そして、本体部３６ａの上面と下面には、ホルダ３９の上下の係合爪５６ａにそれぞれ係合される係合穴５８が設けられている。
【００７０】
このような構成を有する閃光装置３３は、例えば、次のようにして簡単に組み立てることができる。まず、反射鏡３８の光源収納部４３に光源であるキセノン管３７を装着する。これは、光源収納部４３の穴４３ａにキセノン管３７を側方から挿入し、両端部から電極端子３７ｂ，３７ｂをそれぞれ突出させる。
【００７１】
次に、ホルダ３９の凹部５５に反射鏡３８の光源収納部４３を嵌め込み、ホルダ３９で反射鏡３８を支持する。次いで、シールドゴム４０の両端の支持穴４０ｃ，４０ｃに電極端子３７ｂ，３７ｂをそれぞれ差し込み、各支持部４０ａで光源収納部４３及びホルダ３９の側面を覆うようにする。この際、予めフレキ板４１のアース端子部４１ｂをホルダ３９に対して電気的に接続させておくようにする。
【００７２】
次に、シールドゴム４０を装着した後、フレキ板４１の両端の電極端子部４１ａ，４１ａをキセノン管３７の電極端子３７ｂ，３７ｂの外側にそれぞれ重ね合わせる。そして、ハンダ付けによって電極端子３７ｂと電極端子部４１ａを電気的に接続する。その後、反射鏡３８の前部にプロテクター３６を取り付ける。これにより、図１１に示すように、組立作業が完了して閃光装置３３が得られる。
【００７３】
このように組み立てられた閃光装置３３の作用について、例えば、図１４Ａ，Ｂ，Ｃ及び図１５Ａ，Ｂ，Ｃを参照して説明する。図示実施例は、最大配光角αを４５度（上配光角αｕが２２．５度であって、下配光角αｄも２２．５度）に設定すると共に、キセノン管３７の中心Ｏを後側円筒面５１の焦点としたものである。
【００７４】
図１４Ａは、キセノン管３７の中心Ｏから出た光のうち、開口部４４に直接向かう光であって、上配光角αｕの範囲内の光Ｓ１及び下配光角αｄの範囲内の光Ｓ２の光路を示すものである。この場合、光Ｓ１及び光Ｓ２は、一対の第１の反射面４５ａ，４５ｂの開口部４４側先端の点Ａ１から点Ａ２までの範囲、即ち、最大配光角α（α＝αｕ＋αｄ）内において、そのまま直線的に進行して前方に放射される。
【００７５】
このとき、キセノン管３７の中心Ｏから出た光のうち、最大配光角αの角度範囲内において背面側に向かう光Ｓ３は、後側円筒面５１の点Ｄ１から点Ｄ２の間に照射される。この点Ｄ１〜Ｄ２間は、後側円筒面５１の焦点である中心Ｏを中心点として曲率半径Ｒ（キセノン管３７の半径）によって得られる円弧であるため、後側円筒面５１に入射されたその光Ｓ３は、通ってきた光路をそのまま戻って開口部４４側に向かう反射光となる。
【００７６】
図１４Ｂは、キセノン管３７の中心Ｏから出た光であって、第２の反射面４６側に向かう光のうち、点Ｃ１から点Ｅ１までの間の上平行平面５２ａに照射される光（点Ｃ２から点Ｅ２までの間の下平行平面５２ｂに照射される光は、上下対称形状となるため同様である。）Ｓ４の光路を示すものである。
【００７７】
キセノン管３７の中心Ｏから出た光Ｓ４は、上平行平面５２ａに対して背面側に傾斜して入射されるため、その反射光は、更に背面側に傾斜して後側円筒面５１に入射される。この後側円筒面５１に入射された光は、その入射角度に応じて開口部４４側に向きを変えて反射され、下配光角αｄの範囲内で開口部４４側に進行し、その開口部４４から前方に放射される。
【００７８】
図１４Ｃは、キセノン管３７の中心Ｏから出た光であって、第２の反射面４６側に向かう光のうち、点Ｂ１から点Ｃ１までの間の上前側円筒面５０ａに照射される光（点Ｂ２から点Ｃ２までの間の下前側円筒面５０ｂに照射される光は、上下対称形状となるため同様である。）Ｓ５の光路を示すものである。
【００７９】
キセノン管３７の中心Ｏから出た光Ｓ５は、上前側円筒面５０ａに対して垂直に照射されるため、その反射光は、通ってきた光路をそのまま戻って反対側に向かい、下平行平面５２ｂに入射される。この下平行平面５２ｂに入射された光は、更に背面側に反射されて後側円筒面５１に入射される。この後側円筒面５１に入射された光は、その入射角度に応じて開口部４４側に向きを変えて反射され、下配光角αｄの範囲内で開口部４４側に進行し、その開口部４４から前方に放射される。
【００８０】
図１５Ａは、キセノン管３７の中心Ｏから出た光であって、開口部４４側に向かう光のうち、点Ａ１から点Ｂ１までの間の上第１の反射面４５ａに照射される光（点Ａ２から点Ｂ２までの間の下第１の反射面４５ｂに照射される光は、上下対称形状となるため同様である。）Ｓ６及びＳ７の光路を示すものである。
【００８１】
キセノン管３７の中心Ｏから出た光Ｓ６及びＳ７は、上第１の反射面４５ａに対して開口部４４側に傾斜して入射される。このとき、上第１の反射面４５ａの焦点が点Ｔであるため（下第１の反射面４５ｂも同様である。）、上第１の反射面４５ａで反射された反射光は、光Ｓ６及びＳ７のいずれの場合でも、その焦点Ｔに向かうように進行する。これにより、図１４Ａの直射光の場合と同様に、上第１の反射面４５ａである点Ａ１〜Ｂ１のエリア内に入った光は、すべて上配光角αｕ内の反射光となって開口部４４から前方に放射される。
【００８２】
このとき、キセノン管３７の中心Ｏから出た光のうち、点Ａ１から点Ｂ１までの範囲（点Ａ２から点Ｂ２までの範囲の場合も同様である。）内において背面側に向かう光Ｓ８は、後側円筒面５１の点Ｄ１から点Ｄ２の間に照射される。従って、後側円筒面５１の点Ｄ１〜Ｄ２間に入射された光Ｓ８は、通ってきた光路をそのまま戻り、上第１の反射面４５ａ（下第１の反射面４５ｂの場合も同様である。）で反射されて、開口部４４から前方に放射される。
【００８３】
図１５Ｂは、キセノン管３７の中心Ｏから出た光であって、第２の反射面４６側に向かう光のうち、点Ｅ１から点Ｄ１までの間の上傾斜平面５３ａに照射される光（点Ｅ２から点Ｄ２までの間の下平行平面５３ｂに照射される光は、上下対称形状となるため同様である。）Ｓ９及びＳ１０の光路を示すものである。
【００８４】
キセノン管３７の中心Ｏから出た光Ｓ９は、上傾斜平面５３ａに対して傾斜して入射されるため、その反射光は、その入射角度に応じて開口部４４側に向きを変えて反射される。そして、前方の下第１の反射面４５ｂで反射されて上方に向きを変え、配光角αの範囲内で開口部４４から前方に放射される。
【００８５】
また、キセノン管３７の中心Ｏから出た光Ｓ１０は、上傾斜平面５３ａに対して垂直に入射されるため、その反射光は、通ってきた光路をそのまま戻って反対側に向かう。更に、その反射光は、前方の下第１の反射面４５ｂで反射されて上方に向きを変える。そして、焦点Ｔに向かうように進行し、その開口部４４から前方に放射される。
【００８６】
図１５Ｃは、キセノン管３７の中心Ｏから出た光であって、第２の反射面４６側に向かう光のうち、点Ｃ１から点Ｅ１までの間の上平行平面５２ａに照射される光（点Ｃ２から点Ｅ２までの間の下平行平面５２ｂに照射される光は、上下対称形状となるため同様である。）Ｓ１１と、点Ｂ２から点Ｃ２までの間の下前側円筒面５０ｂに照射される光（点Ｂ１から点Ｃ１までの間の上前側円筒面５０ａに照射される光は、上下対称形状となるため同様である。）Ｓ１２の光路を示すものである。
【００８７】
キセノン管３７の中心Ｏから出た光Ｓ１１は、上平行平面５２ａに対して傾斜して入射されるため、その反射光は、その入射角度に応じて背面側に向きを変えて反射される。その反射光は後側円筒面５１に入射され、その入射角度に応じて開口部４４側に向きを変えて反射される。そして、開口部４４側に進行し、配光角αの範囲内で開口部４４から前方に放射される。
【００８８】
また、キセノン管３７の中心Ｏから出た光Ｓ１２は、下前側円筒面５０ｂに対して垂直に入射されるため、その反射光は、通ってきた光路をそのまま戻って反対側に向かう。そして、上平行平面５２ａに入射された後、上述した光１１と同様の光路を経て、上平行平面５２ａ及び後側円筒面５１を介して、進行方向を前方に変え、開口部４４から前方に放射される。
【００８９】
このように、本実施例の閃光装置３３によれば、光源であるキセノン管３７から直接前方に放射される光は、直接又は第１の反射面４５ａ，４５ｂで反射されて従来と同様に前方に放射されるため変化はないが、キセノン管３７から後方に放射される光については、第２の反射面４６によって大きく反射効率が高められている。
【００９０】
即ち、第２の反射面４６の反射光を考えた場合に、点Ｄ１から点Ｄ２までの後側円筒面５１では、０度から±２２．５度までの範囲で反射される。また、点Ｃ１から点Ｅ１までの上平行平面５２ａ及び点Ｃ２から点Ｅ２までの下平行平面５２ｂに入射される光は、後側円筒面５１で１次反射された後、そのまま直に或いは第１の反射面４５ａ，４５ｂで２次反射されて前方に放射される。また、点Ｅ１から点Ｄ１までの上傾斜平面５３ａ及び点Ｅ２から点Ｄ２までの下傾斜平面５３ｂに入射される光は、その平面で開口部４４ａ側に反射され、そのまま直に或いは第１の反射面４５ａ，４５ｂで２次反射されて前方に放射される。
【００９１】
また、点Ｂ１から点Ｃ１までの上前側円筒面５０ａ及び点Ｂ２から点Ｃ２までの下前側円筒面５０ｂに入射される光は、上下の平行平面５２ａ，５２ｂ又は傾斜平面５３ａ，５３ｂで１次反射された後、後側円筒面５１又は第１の反射面４５ａ，４５ｂで２次反射され、されに場合により３次反射或いはそれ以上の反射を繰り返して、前方の開口部４４ａからすべて外部に放射される。これにより、反射鏡３８内部における反射吸収による熱変換を極力抑えて外部に出力し、多くの光を有効光として利用することができる。従って、本実施例によれば、直射光と反射光とが所定の配光角内においてすべて効率良く放射することが可能となる。
【００９２】
上述したような構成を有する閃光装置３３が、図４に示すように、ストロボフレーム６０の先端部に取り付けられている。ストロボフレーム６０は、閃光装置３３が装着される保持部６０ａと、この保持部６０ａの後方に連続された支持部６０ｂを有している。保持部６０ａの先端には、閃光装置３３のプロテクター３６のフレネルレンズ部５７が嵌合される穴を有する正面片６１が設けられている。また、保持部６０ａの下面には、後述するプランジャー機構が収納される凹部が設けられている。更に、保持部６０ａの後端には、ストロボフレーム６０をベースプレート６２に回動自在に支持するための一対の支持片６０ｃ，６０ｃが設けられている。
【００９３】
ベースプレート６２は、略長方形をなす板状の部材からなり、長手方向中途部に段部６２ａを設けることにより、その段部６２ａから前側に下平面部６２ｂが設定され、後側に上平面部６２ｃが設定されている。この段部６２ａの上部から前側に閃光装置３３が搭載され、その後側にマイクロホン装置３４とアクセサリーシュー３５が搭載される。そのため、段部６２ａの上部には、ストロボフレーム６０を回動自在に支持するための一対の軸受片６３，６３が幅方向に所定の間隔をあけて対向するように設けられている。
【００９４】
一対の軸受片６３，６３の間に一対の支持片６０ｃ，６０ｃが介在され、これらに挿通された支持軸６４によってストロボフレーム６０がベースプレート６２に支持されている。更に、支持軸６４にはポップアップバネ６５が装着されており、一方のバネ片をベースプレート６２に係止し、他方のバネ片をストロボフレーム６０に係止することにより、ポップアップバネ６５のバネ力によってストロボフレーム６０が下平面部６２ｂから離れる方向に常時付勢されている。
【００９５】
下平面部６２ｂの段部６２ａ側には、閃光装置３３を格納位置にロックする回動レバー６６と、この回動レバー６６を動作させてロックを解除するプランジャー機構６７とが設けられている。回動レバー６６は、平面形状がＬ字状に形成されたアーム状の部材からなり、一方のアーム片の中途部に回動自在に挿通された枢軸６８によって下平面部６２ｂに回動自在に支持されている。この一方のアーム片の先端部に、上方に立ち上げられたロック爪６６ａが設けられている。そして、２つのアーム片が交差する部分に、上方に突出された連結ピン６６ｂが設けられている。
【００９６】
回動レバー６６の連結ピン６６ｂには、プランジャー機構６７のコア７０が回動自在に係合されている。プランジャー機構６７は、所定距離を直線的に進退移動する可動部であるコア７０と、このコア７０が挿入されるコイルを保持するホルダ７１とから構成されている。このプランジャー機構６７に対する通電の有無により、後述するように回動レバー６６が動作されて、ストロボフレーム６０のロックが解除される。
【００９７】
また、ベースプレート６２の下平面部６２ｂには、ストロボフレーム６０の所定以上の跳ね上がりを防止するためのストッパ部材７３がネジ等の固着手段によって固定されている。ストッパ部材７３には、ストロボフレーム６０の幅方向両側に対向される一対のストッパ受け片７３ａ，７３ａが設けられている。各ストッパ受け片７３ａは、上下方向に延びる長穴を有し、それぞれの長穴内に、ストロボフレーム６０の幅方向両側に設けた突起状のストッパ７４，７４が摺動自在に挿入されている。
【００９８】
ストロボフレーム６０には、ストロボキャビネット７５が着脱可能に装着されている。このストロボキャビネット７５は、ストロボフレーム６０の上面を覆う上面部７５ａと、前面の前面部７５ｂと、左右の両側面を覆う側面部７５ｃ，７５ｄとから構成されている。ストロボフレーム６０の上面部７５ａは、ドーム状に若干上方へ膨出されている。また、前面部７５ｂには、ストロボフレーム６０の正面片６１が嵌合される切欠き７５ｅが設けられている。
【００９９】
また、ベースプレート６２の下平面部６２ｂの下面には、図７に拡大して示すように、閃光装置３３がポップアップ位置へ移動した後のストロボ格納部７６の内部を覆い隠す目隠し板７７が回動自在に取り付けられている。目隠し板７７は、略四角形をなす板状の部材からなり、後端部においてそれぞれ側方に突出された一対の軸ピン７７ａ，７７ａによって下平面部６２ｂに枢支されている。この目隠し板７７には、図６に示すように、下方への回動を規制する凸部７７ｂが一方の軸ピン７７ａの近傍に設けられている。これにより閃光装置３３がポップアップ位置へ移動すると、図６に示すように、目隠し板７７が自重により前倒しされて略水平の状態を維持しつつ上昇する。その結果、ストロボ格納部７６の開口部が、目隠し板７７で蓋をするように閉じられる。
【０１００】
前記ストロボフレーム６０、ベースプレート６２及びストッパ部材７３の材質としては、例えば、ステンレス合金やアルミニウム合金その他の金属材料が好適であるが、エンジニアリングプラスチックやその他の材料を用いることもできる。また、ストロボキャビネット７５の材質としては、例えば、エンジニアリングプラスチックが好適であるが、アルミニウム合金やステンレス鋼その他の金属材料を用いることもできる。
【０１０１】
このような構成を有する閃光装置３３のポップアップ動作を、図５及び図６に示す。図５は、閃光装置３３がベースプレート６２の下平面部６２ｂに設けられた格納位置に格納された状態を示す図であり、図６は、閃光装置３３がポップアップ動作してポップアップ位置に移動した状態を示す図である。
【０１０２】
図５に示す状態では、ストロボフレーム６０の一部が回動レバー６６のロック爪６６ａに係合されているため、閃光装置３３は格納位置に保持されている。この状態から、プランジャー機構６７を動作させてコア７０を前進させることにより、回動レバー６６が図４において反時計方向に回動される。その結果、ロック爪６６ａによるストロボフレーム６０のロックが解除されることにより、ポップアップバネ６５のバネ力によってストロボフレーム６０が跳ね上げられる。
【０１０３】
これにより、ストロボフレーム６０が図５に示す姿勢（図１の状態）から図６に示す姿勢（図２の状態）に変化し、閃光装置３３の発光部であるフレネルレンズ部５７が露出され、発光動作が可能となる。このとき、図６に示すように、ストロボフレーム６０のストッパ７４がベースプレート６２に固定されているストッパ部材７３のストッパ受け片７３ａの長穴の上端縁に当接され、これ以上の跳ね上がりが防止される。また、目隠し板７７の自由端側が自重によって略水平の状態になり、ストロボ格納部７６の内部を隠すように格納位置を覆う姿勢に変化する。
【０１０４】
この場合、図８に示すように、閃光装置３３のポップアップ角度αは約１５度と小さなものである。本実施例によれば、このような小さなポップアップ角度αであっても、ポップアップ角度を所定位置まで移動させて正常な発光動作を行うことができる。これに対して、従来の閃光装置では、図１５に示すように、そのポップアップ角度βは約３５度と比較的大きなものであった。従って、本実施例の場合には、ポップアップ角度の減少分だけカメラ一体型ＶＴＲの小型化を図ることができる。
【０１０５】
次に、閃光装置３３を格納位置に格納する場合には、ストロボキャビネット７５をポップアップバネ６５のバネ力に抗して下平面部６２ｂ側に押圧する。これにより、ストロボフレーム６０がコア７０側の抵抗力に抗して下方に移動し、その押圧力によりロック爪６６ａが後退動作する。そして、ロック爪６６ａの復帰時に、ロック爪６６ａが係合部を乗り越えて下平面部６２ｂに係合される。その結果、閃光装置３３の姿勢が図６に示す状態から図５に示す状態に変化し、閃光装置３３が格納位置においてロックされる。
【０１０６】
マイクロホン装置３４は、左右の音を個別に集音することができるステレオ構造のもので、図９及び図１０に示すような構成を備えている。即ち、マイクロホン装置３４は、２個のマイクロホン素子８０，８０と、この一対のマイクロホン素子８０，８０を弾性支持するクッション部材８１と、このクッション部材８１の表面側を覆う外側キャビネット８２と、この外側キャビネット８２とクッション部材８１との間に介在された内側キャビネット８３と、クッション部材８１の裏面側を覆う裏蓋８４と、この裏蓋８４を内側キャビネット８３に固定する固定ネジ８５を備えて構成されている。
【０１０７】
一対のマイクロホン素子８０，８０は、フレキシブルプリント配線板（以下「フレキ板」という。）８６により所定間隔を保持して電気的に接続されている。一対のマイクロホン素子８０，８０は、ゴム状弾性体によって形成されたクッション部材８１に設けた筒状のボス部８１aにそれぞれ嵌合されている。このボス部８１aで浮かせるようにして各マイクロホン素子８０がクッション部材８１に弾性的に支持されている。クッション部材８１の一面側には、その周縁部を囲うように囲い縁８１ｂが設けられている。
【０１０８】
外側キャビネット８２の上面は、ストロボキャビネット７５に対応するよう同様の曲面によってドーム状に形成されている。この外側キャビネット８２には、一対のマイクロホン素子８０，８０に対向するように多数の集音穴８２ａが設けられている。外側キャビネット８２の内部には、内側キャビネット８３が一体的に嵌合固定されている。内側キャビネット８３は、一対のマイクロホン素子８０，８０と対向する部分と前側部分を避けるように桟を張り渡した枠状の部材からなり、内面の略中央部に下方に突出するネジ軸部８３ａが設けられている。このネジ軸部８３ａは、クッション部材８１の略中央部の穴に挿通される。
【０１０９】
裏蓋８４は、ゴム状弾性体によって板状に形成されており、その略中央部には一面側に突出する筒状のボス部８４ａが設けられている。裏蓋８４のボス部８４ａの先端には、半径方向外側に展開されるフランジ部８４ｂが設けられている。このボス部８４ａは、ベースプレート６２の上平面部６２ｃに設けられた貫通穴６２ｄに嵌合される。このフランジ部８４ｂが固定ネジ８５の締め込みによって上平面部６２ｃに圧接され、共にゴム状弾性体からなるクッション部材８１及び裏蓋８４を介してマイクロホン装置３４が弾性支持されている。
【０１１０】
外側キャビネット８２及び内側キャビネット８３の材質としては、例えば、エンジニアリングプラスチックが好適であるが、アルミニウム合金やステンレス鋼その他の金属材料を用いることもできる。
【０１１１】
このような構成を有するマイクロホン装置３４は、例えば、次のようにして簡単に組み立てることができる。まず、一対のマイクロホン素子８０，８０をクッション部材８１のボス部８１ａに装着する。次に、予め内側キャビネット８３が固定されている外側キャビネット８２に、マイクロホン素子８０が装着されているクッション部材８１を取り付ける。
【０１１２】
次に、予めベースプレート６２に固定された裏蓋８４に、キャビネットが装着されているクッション部材８１を臨ませる。この際、裏蓋８４は、フランジ部８４ｂを下にしてボス部８４ａを、上平面部６２ｃの貫通穴６２ｄに嵌合させておく。この裏蓋８４にクッション部材８１を重ね合わせ、フランジ部８４ｂ側から内側キャビネット８３のネジ軸部８３ａに固定ネジ８５を螺合させる。この固定ネジ８５を締め込むことにより、裏蓋８４及びクッション部材８１を介してマイクロホン装置３４がベースプレート６２に弾性的に支持される。
【０１１３】
この実施例によれば、外装ケース２１側のベースプレート６２にはゴム状弾性体で形成された裏蓋８４とクッション部材８１が接触し、ベースプレート６２と一対のマイクロホン素子８０，８０との間には剛性の高い部材が介在しないため、電子機器の内部から回り込んでくる不要な音を拾わないようにすることができる。更に、内外側キャビネット８２，８３と一対のマイクロホン素子８０，８０との間にはクッション部材８１が介在しているため、キャビネットやフレーム等から伝わってくる振動音を拾わないようにすることができる。
【産業上の利用可能性】
【０１１４】
本発明は、前述しかつ図面に示した実施の形態に限定されるものではなく、その要旨を逸脱しない範囲内で種々の変形実施が可能である。例えば、前記実施例では、カメラ一体型ＶＴＲに適用した例について説明したが、スチルカメラ、デジタルスチルカメラその他のカメラ装置に適用できるものである。
【図面の簡単な説明】
【０１１５】
【図１】本発明の撮像装置の一実施例を示すもので、カメラ一体型ＶＴＲの閃光装置を格納位置に収納した状態の斜視図である。
【図２】図１に示すカメラ一体型ＶＴＲの閃光装置をポップアップ位置に跳ね上げた状態の斜視図である。
【図３】図１に示すカメラ一体型ＶＴＲの液晶ディスプレイを開いた状態を背面から見た斜視図である。
【図４】図１に示すカメラ一体型ＶＴＲの閃光装置のポップアップ機構等を説明するための斜視図である。
【図５】図１に示すカメラ一体型ＶＴＲの閃光装置を格納位置に収納した状態の説明図である。
【図６】図１に示すカメラ一体型ＶＴＲの閃光装置をポップアップ位置に跳ね上げた状態の説明図である。
【図７】図２に示すカメラ一体型ＶＴＲの閃光装置を拡大した説明図である。
【図８】本発明の撮像装置に係る閃光装置のポップアップ角度を説明するための説明図である。
【図９】図１に示すカメラ一体型ＶＴＲのマイクロホン装置を分解した斜視図である。
【図１０】本発明の撮像装置に係るマイクロホン装置の断面図である。
【図１１】本発明の撮像装置に係る閃光装置の斜視図である。
【図１２】本発明の撮像装置に係る閃光装置を分解した斜視図である。
【図１３】本発明の撮像装置に係る閃光装置の反射鏡の断面図である。
【図１４】図１３に示す反射鏡の光路を説明するもので、図１４Ａは光が直接前方に放射される状態、図１４Ｂは光が平行平面で１次反射される状態、図１４Ｃは光が前側円筒面で１次反射される状態をそれぞれ示す説明図である。
【図１５】図１３に示す反射鏡の光路を説明するもので、図１５Ａは光が第１の反射面で反射される状態、図１５Ｂは光が傾斜平面で１次反射される状態、図１５Ｃは光が平行平面で１次反射される状態をそれぞれ示す説明図である。
【図１６】従来の撮像装置を示すもので、閃光装置をポップアップ位置に移動した状態の外観斜視図である。
【図１７】従来の撮像装置における閃光装置及びポップアップ機構を断面して示す説明図である。
【図１８】従来の閃光装置のポップアップ角度を説明するための説明図である。
【符号の説明】
【０１１６】
２０…カメラ一体型ＶＴＲ（撮像装置）、  ２１…外装ケース、  ２３…レンズ装置（光学レンズ）、  ３３…閃光装置、  ３４…マイクロホン装置、  ３６…プロテクター、  ３８…反射鏡、  ６０…ストロボフレーム、  ６２…ベースプレート、  ６５…ポップアップバネ、  ６６…回動レバー、  ６７…プランジャー機構、  ７３…ストッパ部材、  ７４…ストッパ、  ７５…ストロボキャビネット、  ７６…ストロボ格納部、  ７７…目隠し板、  ８０…マイクロホン素子、  ８１…クッション部材、  ８２…外側キャビネット、  ８４…裏蓋、  ８５…固定ネジ
【図１】
2004318083.tif 000003
【図２】
2004318083.tif 000004
【図３】
2004318083.tif 000005
【図４】
2004318083.tif 000006
【図５】
2004318083.tif 000007
【図６】
2004318083.tif 000008
【図７】
2004318083.tif 000009
【図８】
2004318083.tif 000010
【図９】
2004318083.tif 000011
【図１０】
2004318083.tif 000012
【図１１】
2004318083.tif 000013
【図１２】
2004318083.tif 000014
【図１３】
2004318083.tif 000015
【図１４】
2004318083.tif 000016
【図１５】
2004318083.tif 000017
【図１６】
2004318083.tif 000018
【図１７】
2004318083.tif 000019
【図１８】
2004318083.tif 000020